(57)【要約】【課題】噴門の壁を容易に超拡大観察することが可能な超拡大観察用内視鏡を提供する。【解決手段】操作部から前方に延びる挿入部内に設けた、その光軸ＯＡ１が挿入部の軸線と平行な共焦点光学系３１と、挿入部内に設けた、光を共焦点光学系に入射させる第一ライトガイド３４と、挿入部の周面に設けた、光が透過可能な観察窓２５と、挿入部内に設けた、共焦点光学系が出射した光を軸線と直交する方向に反射させながら観察窓の表面又は観察窓の外側の該表面近傍に設定した第一集光点に集光する直角プリズム３３又はミラー６１と、直角プリズムとミラーのいずれか一方と第一集光点が反射しかつ共焦点光学系が出射した光を第一集光点と共焦点の関係にある第二集光点で受光し、光を共焦点画像用プロセッサ５０に送る第二ライトガイド３４と、を備える。【選択図】図３
2015204973.tif 000002
【特許請求の範囲】
【請求項１】
操作部から前方に延びる挿入部内に設けた、その光軸が上記挿入部の軸線と平行な共焦点光学系と、
上記挿入部内に設けた、光を上記共焦点光学系に入射させる第一ライトガイドと、
上記挿入部の周面に設けた、上記光が透過可能な観察窓と、
上記挿入部内に設けた、上記共焦点光学系が出射した上記光を上記軸線と直交する方向に反射させながら上記観察窓の表面又は上記観察窓の外側の該表面近傍に設定した第一集光点に集光する直角プリズム又はミラーと、
上記直角プリズムと上記ミラーのいずれか一方と上記第一集光点が反射しかつ上記共焦点光学系が出射した上記光を上記第一集光点と共焦点の関係にある第二集光点で受光し、該光を共焦点画像用プロセッサに送る第二ライトガイドと、
を備えることを特徴とする超拡大観察用内視鏡。
【請求項２】
請求項１記載の超拡大観察用内視鏡において、
上記挿入部が、
上記操作部に設けた湾曲操作装置の湾曲操作に応じて湾曲する湾曲部と、
該湾曲部よりも上記操作部側に位置し、可撓性を有する可撓管部と、
を備え、
上記観察窓を上記湾曲部と上記可撓管部の間に設けた超拡大観察用内視鏡。
【請求項３】
請求項１または２記載の超拡大観察用内視鏡において、
上記観察窓が上記挿入部の外周面より外周側に突出している超拡大観察用内視鏡。
【発明の詳細な説明】
【技術分野】
【０００１】
本発明は共焦点光学系を利用した超拡大観察用内視鏡に関する。
【背景技術】
【０００２】
図８は共焦点光学系を利用した超拡大観察用内視鏡を示している。
この内視鏡は、術者が手で把持する操作部と、操作部から延びる挿入部と、を備えている。挿入部の先端部内に共焦点光学系が配設してあり、該先端部の先端面には共焦点光学系と対向する拡大観察用窓が設けてある。さらに操作部及び挿入部の内部には、その一端面が共焦点光学系と対向し、その他端面がレーザ光源と光電子増倍管に接続する光学ファイバが配設してある。
【０００３】
レーザ光源で発生したレーザ光は光学ファイバの他端面から光学ファイバの内部に入り、光学ファイバの一端面から共焦点光学系に入射する。共焦点光学系が出射したレーザ光は拡大観察用窓の表面（又は拡大観察用窓の外側の該表面近傍）に設定した第一集光点（観察対象）に集光する。そして第一集光点（観察対象）が反射しかつ共焦点光学系が出射したレーザ光は、光学ファイバの一端面から光学ファイバの内部に入る。光学ファイバの一端面の位置は、上記第一集光点と共焦点の関係にある第二集光点の位置と一致している。そして光学ファイバの他端面を出たレーザ光（観察像）は、光電子増倍管に送られ、光電子増倍管によって変換された電気信号が画像処理装置によって画像処理された後に、画像処理装置に接続する拡大観察用モニタに表される。
従って、図８に示すように、例えば上記内視鏡の挿入部を被験者の食道に挿入し拡大観察用窓を食道壁に接触させれば、拡大観察用モニタに食道壁の超拡大観察画像が表示される。
【先行技術文献】
【特許文献】
【０００４】
【特許文献１】特開２００８−１２２１１号公報
【発明の概要】
【発明が解決しようとする課題】
【０００５】
図８に示すように胃と食道の接続部である噴門は狭幅であり、噴門の筋肉は収縮動作を行う。
従って、内視鏡の挿入部の先端面に設けた拡大観察用窓を噴門の壁に接触させることが難しく、そのため噴門の壁を上記内視鏡によって超拡大観察するのが非常に困難であった。
【０００６】
本発明は、噴門の壁を容易に超拡大観察することが可能な超拡大観察用内視鏡を提供することを目的とする。
【課題を解決するための手段】
【０００７】
本発明の超拡大観察用内視鏡は、操作部から前方に延びる挿入部内に設けた、その光軸が上記挿入部の軸線と平行な共焦点光学系と、上記挿入部内に設けた、光を上記共焦点光学系に入射させる第一ライトガイドと、上記挿入部の周面に設けた、上記光が透過可能な観察窓と、上記挿入部内に設けた、上記共焦点光学系が出射した上記光を上記軸線と直交する方向に反射させながら上記観察窓の表面又は上記観察窓の外側の該表面近傍に設定した第一集光点に集光する直角プリズム又はミラーと、上記直角プリズムと上記ミラーのいずれか一方と上記第一集光点が反射しかつ上記共焦点光学系が出射した上記光を上記第一集光点と共焦点の関係にある第二集光点で受光し、該光を共焦点画像用プロセッサに送る第二ライトガイドと、を備えることを特徴としている。
【０００８】
上記挿入部が、上記操作部に設けた湾曲操作装置の湾曲操作に応じて湾曲する湾曲部と、該湾曲部よりも上記操作部側に位置し、可撓性を有する可撓管部と、を備え、上記観察窓を上記湾曲部と上記可撓管部の間に設けてもよい。
【０００９】
上記観察窓が上記挿入部の外周面より外周側に突出していてもよい。
【発明の効果】
【００１０】
噴門を拡げながら挿入部を噴門に挿入すると、噴門は自律的に閉じよう（縮径しよう）とする。そのため観察窓を噴門内に位置させれば、噴門の壁が観察窓に密着する。
そして本発明の内視鏡は、挿入部の内部に、共焦点光学系が出射した光を挿入部の軸線と直交する方向に反射させ、挿入部の外周面に設けた観察窓の表面（又は観察窓の外側の該表面近傍）に設定した第一集光点に集光する直角プリズム（又はミラー）を備えている。
そのため第一ライトガイドから共焦点光学系に光を入射させると、共焦点光学系が出射した光は直角プリズム又はミラーによって、挿入部の軸線と直交する方向に反射され、観察窓の表面（又は上記観察窓の外側の該表面近傍）に設定した第一集光点（噴門の壁又は壁の内部）に集光する。そして第一集光点及び直角プリズム（又はミラー）が反射しかつ共焦点光学系が出射した光を、第二ライトガイドの（第一集光点と共焦点の関係にある）第二集光点が受光し、第二ライトガイドが該光を共焦点画像用プロセッサに送る。
従って、本発明によれば噴門の壁を容易に超拡大観察することが可能である。
【図面の簡単な説明】
【００１１】
【図１】本発明の一実施形態の超拡大観察用内視鏡、共焦点画像用プロセッサ、通常画像用プロセッサ、共焦点画像用モニタ、及び通常画像用モニタを示す図である。
【図２】（Ａ）は挿入部の要部を示す図であり、（Ｂ）は（Ａ）中の一点鎖線で示した部分の拡大断面図である。
【図３】（Ａ）は挿入部を噴門に挿入した状態を示す図であり、（Ｂ）は（Ａ）中の一点鎖線で示した部分の拡大図である。
【図４】挿入部の先端部の斜視図である。
【図５】図４のＶ−Ｖ矢線に沿う断面図である。
【図６】本実施形態の超拡大観察用内視鏡、共焦点画像用プロセッサ、通常画像用プロセッサ、共焦点画像用モニタ、及び通常画像用モニタを表すブロック図である。
【図７】変形例の図２（Ｂ）に相当する拡大断面図である。
【図８】従来例の図３（Ａ）に相当する図である。
【発明を実施するための形態】
【００１２】
以下、図１から図６を参照しながら本発明の一実施形態について説明する。以下の説明中の前後方向は、内視鏡１０の挿入部１２の先端部１８側を「前方」、第一ユニバーサルチューブ１３Ａ及び第二ユニバーサルチューブ１３Ｂの先端側（第一コネクタ部１４Ａ側と第二コネクタ部１４Ｂ側）を「後方」と定義している。
医療用の内視鏡１０は超拡大観察用内視鏡であり、硬質樹脂からなる操作部１１と、操作部１１から前方に延びる挿入部１２と、操作部１１から後方に延びる第一ユニバーサルチューブ１３Ａ及び第二ユニバーサルチューブ１３Ｂと、第一ユニバーサルチューブ１３Ａの後端に固定した第一コネクタ部１４Ａと、第二ユニバーサルチューブ１３Ｂの後端に固定した第二コネクタ部１４Ｂと、を備えている。
【００１３】
次に挿入部１２の詳細な構造について説明する。
挿入部１２は、操作部１１から前方に延びかつ可撓性を有する可撓管部１６と、可撓管部１６の前方に位置する湾曲部１７と、湾曲部１７の前端部に接続する先端部１８と、を具備している。湾曲部１７は、操作部１１に設けた湾曲操作レバー１１Ａ（湾曲操作装置）の回転操作に連動して湾曲する部位である。
挿入部１２の（先端部１８の前端部及び後述する第一拡大観察用窓２５を除く）全体の外周面は可撓性樹脂材料からなる外皮材１９により構成してある。先端部１８は、実質的に弾性変形不能な硬質樹脂材料（例えば、ＡＢＳ、変性ＰＰＯ、ＰＳＵなど）によって構成した先端硬質部２０を備えている。また外皮材１９は、可撓管部１６の外周面を構成する後方構成部１９Ａと、湾曲部１７及び先端部１８の後部の外周面を構成する前方構成部１９Ｂと、により構成してある。
【００１４】
可撓管部１６の前端部と湾曲部１７の後端部に間に位置する部位には、挿入部１２の軸線を中心とする環状形状の第一拡大観察用窓２５（観察窓）が固定してある。第一拡大観察用窓２５は透光性材料（例えばポリカーボネート等の樹脂やガラス）によって構成したものである。図２（Ｂ）及び図３（Ｂ）に示すように、第一拡大観察用窓２５の前後方向の中央部は前端部及び後端部よりも肉厚の光透過部２６により構成してある。第一拡大観察用窓２５の前端部及び後端部の外周面には、後方構成部１９Ａの前端部と前方構成部１９Ｂの後端部がそれぞれ水密状態で被覆してある。光透過部２６の外周部は後方構成部１９Ａ及び前方構成部１９Ｂよりも外周側に突出している。
【００１５】
後方構成部１９Ａ及び第一拡大観察用窓２５の内周側空間には第一共焦点光学系ユニット２８が固定状態で配設してある。
第一共焦点光学系ユニット２８は挿入部１２の軸線に沿って延びる略円筒形状の第一ケース２９を備えている。第一ケース２９の前部には断面形状が略直角三角形をなす直角プリズム収容部３０が形成してある。また第一ケース２９の後端面と直角プリズム収容部３０の端面は共に開口している。第一ケース２９の内部には複数のレンズからなる第一共焦点光学系３１（共焦点光学系）が配設してある。図２（Ｂ）に示すように第一共焦点光学系３１の第一光軸ＯＡ１は挿入部１２の軸線と平行である。直角プリズム収容部３０には、直角プリズム収容部３０と略同一の断面形状をなしかつ第一拡大観察用窓２５の光透過部２６と対向する直角プリズム３３が固定してある。また可撓性を有しかつ前後方向に延びるシングルモードファイバからなる第一光学ファイバ３４（第一ライトガイド）（第二ライトガイド）の前端部が、第一ケース２９の後端開口を通して第一ケース２９の内部に挿入してある。図２（Ｂ）に示すように第一光学ファイバ３４は第一光軸ＯＡ１の延長線上に位置しており、第一光学ファイバ３４の前端面３４ａは第一共焦点光学系３１の最も後方に位置するレンズと前後方向に対向している。
第一光学ファイバ３４の後部は挿入部１２、操作部１１、及び第一ユニバーサルチューブ１３Ａを通って第一コネクタ部１４Ａ内に位置している。
【００１６】
図４及び図５等に示すように、先端硬質部２０の後部は前部に比べて小径である接続部２１により構成してある。そして接続部２１に対して前方構成部１９Ｂの前端部が水密状態で被覆してある。
先端硬質部２０の前端面には前方に向かって突出する前端突出部２２が一体的に設けてある。さらに先端硬質部２０には、前端突出部２２を通って先端硬質部２０全体を前後方向に貫通する第一貫通孔２３と、前端突出部２２とは異なる位置を通って先端硬質部２０全体を前後方向に貫通する第二貫通孔２４と、が形成してある。
図４及び図５に示すように第一貫通孔２３には第二共焦点光学系ユニット３６が嵌合固定してある。第二共焦点光学系ユニット３６は挿入部１２（先端部１８）の軸線と平行方向に延びる略円筒形状の第二ケース３７を備えている。第二ケース３７の後端面は開口している。第二ケース３７の内部には複数のレンズからなる第二共焦点光学系３８が配設してある。図５に示すように第二共焦点光学系３８の第二光軸ＯＡ２は先端部１８の軸線と平行である。また可撓性を有しかつ前後方向に延びるシングルモードファイバからなる第二光学ファイバ３９の前端部が、第二ケース３７の後端開口を通して第二ケース３７の内部に挿入してある。図５に示すように第二光学ファイバ３９は第二光軸ＯＡ２の延長線上に位置しており、第二光学ファイバ３９の前端面３９ａは第二共焦点光学系３８の最も後方に位置するレンズと前後方向に対向している。第二光学ファイバ３９の後部は挿入部１２、操作部１１、及び第一ユニバーサルチューブ１３Ａを通って第一コネクタ部１４Ａ内に位置している。さらに第二ケース３７の前端部には第二拡大観察用窓４０が固定してある。第二拡大観察用窓４０は第二共焦点光学系３８の最も前方に位置するレンズと前後方向に対向しており、前端突出部２２の前端面において露出している。
【００１７】
図４及び図５等に示すように先端硬質部２０の第二貫通孔２４には通常観察光学系４２が嵌合固定してある。通常観察光学系４２は複数のレンズによって構成した光学系であり、最も前方に位置する光学素子である通常観察用窓４３は先端硬質部２０の前端面において露出している。
第二貫通孔２４の内部には、通常観察光学系４２の直後に位置する撮像素子（図示略）が固定状態で設けてある。撮像素子の前面は撮像面を構成している。撮像素子には画像信号用ケーブル（図示略）の前端部が接続している。画像信号用ケーブルの後部は挿入部１２、操作部１１、及び第二ユニバーサルチューブ１３Ｂを通って第二コネクタ部１４Ｂ内に位置している。そして画像信号用ケーブルの外周面を可撓性を有する被覆チューブ４５が被覆している。
また先端硬質部２０の内部には二つの照明光学系４７が設けてある。各照明光学系４７は複数のレンズによって構成したものであり、各照明光学系４７を構成するレンズの中で最も前方に位置するものは先端硬質部２０の前端面において露出している。さらに挿入部１２、操作部１１、及び第二ユニバーサルチューブ１３Ｂの内部には二本の可撓性を有するライトガイドファイバ（図示略）が設けてあり、各ライトガイドファイバの前端部は各照明光学系４７に接続している。
【００１８】
以上構成の内視鏡１０の第一コネクタ部１４Ａと第二コネクタ部１４Ｂは共焦点画像用プロセッサ５０と通常画像用プロセッサ５２の各コネクタ受け部（図示略）に対してそれぞれ着脱可能である。
共焦点画像用プロセッサ５０の内部にはレーザ光を発生するレーザ光源と、光電子増倍管（ＰＭＴ：Photomultiplier Tube）と、光電子増倍管に接続する画像処理装置と、が設けてある。また第一コネクタ部１４Ａの内部には、第一コネクタ部１４Ａを共焦点画像用プロセッサ５０のコネクタ受け部に接続したときに、レーザ光源及び光電子増倍管に接続する光カプラが設けてある。
通常画像用プロセッサ５２の内部には照明光（可視光）を発生する通常光源と、通常画像処理装置と、が設けてある。
また共焦点画像用プロセッサ５０と通常画像用プロセッサ５２には共焦点画像用モニタ５４と通常画像用モニタ５６がそれぞれ接続している。
【００１９】
続いて内視鏡１０の使用要領について説明する。
内視鏡１０の第一コネクタ部１４Ａと第二コネクタ部１４Ｂを共焦点画像用プロセッサ５０と通常画像用プロセッサ５２に対してそれぞれ接続しかつ共焦点画像用プロセッサ５０のレーザ光源及び通常画像用プロセッサ５２の通常光源を共に発光させる。通常画像用プロセッサ５２の通常光源で発生した照明光は、第二コネクタ部１４Ｂ内に位置する上記ライトガイドファイバの後端面に供給され、ライトガイドファイバの内部を通って各照明光学系４７に供給される。
挿入部１２を被験者の口から食道に挿入し、各照明光学系４７から照射される照明光を頼りにしながら、噴門を拡げつつ挿入部１２を噴門に挿入すると、噴門は自律的に閉じよう（縮径しよう）とする。そのため第一拡大観察用窓２５を噴門内に位置させると、噴門の壁が第一拡大観察用窓２５の光透過部２６の外周面に対して密着する。そして光透過部２６が後方構成部１９Ａ及び前方構成部１９Ｂよりも外周側に突出しているので、光透過部２６は噴門の壁に対して強い力で密着する。
共焦点画像用プロセッサ５０のレーザ光源が発光すると、レーザ光は上記光カプラによって第一コネクタ部１４Ａ内に位置する第一光学ファイバ３４の後端面及び第二光学ファイバ３９の後端面に供給され、第一光学ファイバ３４と第二光学ファイバ３９の内部を通って前端面３４ａと前端面３９ａから第一共焦点光学系３１と第二共焦点光学系３８にそれぞれ入射する。
第一共焦点光学系３１に入射したレーザ光は第一共焦点光学系３１を第一光軸ＯＡ１に沿って前方に進み、さらに第一共焦点光学系３１から前方に出射した後に直角プリズム３３によって第一光軸ＯＡ１（挿入部１２の軸線）と直交する方向（挿入部１２の径方向）に反射される。そしてレーザ光は第一拡大観察用窓２５の光透過部２６を透過して光透過部２６の表面（外周面）の近傍（該表面より僅かに外側）に設定した第一集光点（噴門の壁の内部。図３（Ｂ）参照）に集光される。そして第一集光点（噴門の壁の内部の組織）によって反射されたレーザ光（超拡大観察像）は直角プリズム３３によって第一光軸ＯＡ１方向に反射され、さらに第一共焦点光学系３１から後方に出射された後に、第一光学ファイバ３４の前端面３４ａによって受光される。この前端面３４ａには、上記第一集光点と共焦点の関係にある第二集光点（図２（Ｂ）参照）が設定してある。前端面３４ａから第一光学ファイバ３４に入射したレーザ光は第一光学ファイバ３４を通って第一光学ファイバ３４の後端面から上記光カプラに戻り、光カプラから上記光電子増倍管に送られる。レーザ光を受光した光電子増倍管はレーザ光（超拡大観察像）を電気信号に変換する。そして変換された電気信号に基づいて画像処理装置が画像処理し、画像処理した画像データを共焦点画像用モニタ５４に表示させる。
従って、噴門の壁の内部（の組織）を容易に超拡大観察することが可能である。
また挿入部１２をその軸線回りに回転させれば、噴門全周の壁の内部を超拡大観察できる。
【００２０】
また、内視鏡１０は第二共焦点光学系ユニット３６による超拡大観察を行うことが可能である。
第二光学ファイバ３９を通って第二共焦点光学系３８に入射したレーザ光は第二共焦点光学系３８を第二光軸ＯＡ２に沿って前方に進み、さらに第二共焦点光学系３８から前方に出射した後に第二拡大観察用窓４０を透過し、第二拡大観察用窓４０の表面（外周面）の近傍（該表面より僅かに外側）に設定した第一集光点（図示略）に集光される。
そのため先端硬質部２０の前端突出部２２を胃壁に押し当てながら第二拡大観察用窓４０を胃壁に密着させれば、第一集光点（胃壁の内部の組織）によって反射されたレーザ光（超拡大観察像）が第二光軸ＯＡ２方向に沿って後方に進み、第二共焦点光学系３８から後方に出射された後に第二光学ファイバ３９の前端面３９ａによって受光される。この前端面３９ａには、第二共焦点光学系ユニット３６の上記第一集光点と共焦点の関係にある第二集光点（図示略）が設定してある。前端面３９ａから第二光学ファイバ３９に入射したレーザ光は第二光学ファイバ３９を通って第二光学ファイバ３９の後端面から上記光カプラに戻り、光カプラから上記光電子増倍管に送られる。レーザ光を受光した光電子増倍管はレーザ光（超拡大観察像）を電気信号に変換し、画像処理装置がこの電気信号を画像処理し、画像処理した画像データを共焦点画像用モニタ５４に表示させる。そのため胃壁の内部（の組織）を容易に超拡大観察することが可能である。
【００２１】
なお、例えば挿入部１２の先端部を胃の内部に位置させると、照明光学系４７から出射された照明光が胃壁によって反射され、この反射光（観察像）が通常観察光学系４２を通って上記撮像素子によって受光される。すると撮像素子が生成した撮像データを上記画像信号用ケーブルに送り、この撮像データが通常画像用プロセッサ５２の上記通常画像処理手段に送られ、通常画像処理手段によって画像処理された画像が通常画像用モニタ５６に表示される。
【００２２】
以上、上記実施形態を利用して本発明を説明したが、本発明は様々な変形を施しながら実施可能である。
例えば図７に示すように、第一ケース２９に凹設したミラー収容部６０に（直角プリズム３３の代わりとして）第一光軸ＯＡ１に対して傾斜するミラー６１を設け、このミラー６１によってレーザ光を第一拡大観察用窓２５側に反射したり、第一集光点が反射したレーザ光を第一共焦点光学系３１側に反射してもよい。
また第一拡大観察用窓２５を可撓管部１６や先端部１８の外周部に設けてもよい。
第一拡大観察用窓２５（観察窓）は環状である必要はない。例えば（挿入部１２の軸線を中心とする）円筒状の金属部材を挿入部１２に設け、この金属部材の一部に設けた（非環状の）貫通孔に第一拡大観察用窓を設けても良い。
【００２３】
また挿入部１２の内部に第一共焦点光学系３１の少なくとも一つのレンズを第一光軸ＯＡ１に沿って移動させる駆動機構を設けて、第一共焦点光学系ユニット２８の第一集光点の位置を可変にしてもよい（例えば第一拡大観察用窓２５の外表面上に第一集光点を設定）。但しこの場合も、当該第一集光点を第二集光点（前端面３４ａ）と共焦点の関係にする。同様に、挿入部１２の内部に第二共焦点光学系３８の少なくとも一つのレンズを第二光軸ＯＡ２に沿って移動させる駆動機構を設けてもよい。
また第一光学ファイバ３４を互いに別体の二種類のライトガイドにより構成してもよい。即ち、共焦点画像用プロセッサ５０のレーザ光源で発生したレーザ光を第一共焦点光学系３１に入射させる第一ライトガイドと、第二集光点を備える第二ライトガイドと、により構成することが可能である。
【００２４】
また、内視鏡１０は第一共焦点光学系ユニット２８と第二共焦点光学系ユニット３６の各々に対応するユニバーサルチューブと、各ユニバーサルチューブの後端部に設けたコネクタ部と、を有していてもよい。
さらにまた、共焦点画像用プロセッサ５０は第一共焦点光学系ユニット２８と第二共焦点光学系ユニット３６の各々に対応するレーザ光源、光電子増倍管、及び画像処理装置を有していても良い。この場合、第一コネクタ部１４Ａに第一共焦点光学系ユニット２８と第二共焦点光学系ユニット３６の各々に対応する光カプラを設ける。さらに内視鏡１０は合計３本のユニバーサルチューブおよび３つのコネクタ部を有する。また、共焦点画像用プロセッサ５０は、２つのユニバーサルチューブの後端部に設けた２つのコネクタ部を受容可能なコネクタ受け部を有する。そして、共焦点画像用プロセッサ５０で画像処理された画像データが共焦点画像用モニタ５４に表示される。
【符号の説明】
【００２５】
１０    内視鏡（超拡大観察用内視鏡）
１１    操作部
１１Ａ    湾曲操作レバー（湾曲操作装置）
１２    挿入部
１３Ａ  第一ユニバーサルチューブ
１３Ｂ  第二ユニバーサルチューブ
１４Ａ  第一コネクタ部
１４Ｂ  第二コネクタ部
１６    可撓管部
１７    湾曲部
１８    先端部
１９    外皮材
１９Ａ  後方構成部
１９Ｂ  前方構成部
２０    先端硬質部
２１    接続部
２２    前端突出部
２３    第一貫通孔
２４    第二貫通孔
２５    第一拡大観察用窓（観察窓）
２６    光透過部
２８    第一共焦点光学系ユニット
２９    第一ケース
３０    直角プリズム収容部
３１    第一共焦点光学系（共焦点光学系）
３３    直角プリズム
３４    第一光学ファイバ（第一ライトガイド）（第二ライトガイド）
３４ａ  前端面
３６    第二共焦点光学系ユニット
３７    第二ケース
３８    第二共焦点光学系
３９    第二光学ファイバ
３９ａ  前端面
４０    第二拡大観察用窓
４２    通常観察光学系
４３    通常観察用窓
４５    被覆チューブ
４７    照明光学系
５０    共焦点画像用プロセッサ
５２    通常画像用プロセッサ
５４    共焦点画像用モニタ
５６    通常画像用モニタ
６０    ミラー収容部
６１    ミラー
ＯＡ１    第一光軸
ＯＡ２    第二光軸
【図１】
2015204973.tif 000003
【図２】
2015204973.tif 000004
【図３】
2015204973.tif 000005
【図４】
2015204973.tif 000006
【図５】
2015204973.tif 000007
【図６】
2015204973.tif 000008
【図７】
2015204973.tif 000009
【図８】
2015204973.tif 000010